(57)【特許請求の範囲】
【請求項１】
対向し合う複数の壁部（１０）に設けられた複数の切欠（１１）を備える、保持フレーム（１）であって、
当該保持フレーム（１）は、複数の部分から構成されており、
当該保持フレーム（１）は、少なくともフレームベース（２）と固定フレーム（３）とから構成されており、
前記切欠（１１）は、広幅の領域（１１ａ）と狭幅の領域（１１ｂ）とを有し、該広幅の領域（１１ａ）は、前記フレームベース（２）と前記固定フレーム（３）との間の移行部に近い方に位置しており、
前記切欠（１１）は、前記フレームベース（２）及び前記固定フレーム（３）により形成されることを特徴とする、保持フレーム。
【請求項２】
当該保持フレーム（１）は、３つの部分から構成されており、前記固定フレーム（３）は、２つのフレーム半部（３４）から成っている、請求項１記載の保持フレーム。
【請求項３】
前記フレーム半部（３４）は、同一の構成を有する、請求項２記載の保持フレーム。
【請求項４】
前記フレーム半部（３４）は、それぞれ２つの収容手段（３２，３３）を有し、第１の収容手段（３２）は、第２の収容手段（３３）に、相互に内外に係合するように結合可能である、請求項３記載の保持フレーム。
【請求項５】
前記第１の収容手段（３２）は、円錐台形に形成されており、前記第２の収容手段（３３）は、これに対応する円錐台形の凹部を有し、該凹部に、前記第１の収容手段（３２）が挿入可能である、請求項４記載の保持フレーム。
【請求項６】
前記第１の収容手段（３２）は、角錐台形に形成されており、前記第２の収容手段（３３）は、これに対応する角錐台形の凹部を有し、該凹部に、前記第１の収容手段（３２）が挿入可能である、請求項４記載の保持フレーム。
【請求項７】
前記固定フレーム（３）は、取付け手段（３５）により、前記フレームベース（２）の取付け手段（２５）に取り付け可能であり、これらの前記取付け手段（２５，３５）は、前記固定フレーム（３）と前記フレームベース（２）との相互の間隔を変更可能に調節するのに適している、請求項１から６までのいずれか１項記載の保持フレーム。
【請求項８】
当該保持フレーム（１）は、差込コネクタモジュール（４０）を保持するように設けられている、請求項１から７までのいずれか１項記載の保持フレーム。
【請求項９】
前記差込コネクタモジュール（４０）は、当該保持フレーム（１）に挿入可能であり、前記差込コネクタモジュール（４０）に設けられた保持手段（４１）は、当該保持フレーム（１）の前記切欠（１１）と協働できるようになっている、請求項８記載の保持フレーム。
【請求項１０】
当該保持フレーム（１）に挿入された前記差込コネクタモジュール（４０）の前記保持手段（４１）は、前記切欠（１１）に嵌め込みにより保持できるようになっている、請求項９記載の保持フレーム。
【請求項１１】
前記切欠（１１）は、該切欠（１１）に前記保持手段（４１）が挿入された状態で前記固定フレーム（３）と前記フレームベース（２）との間にスリット（２／３）が形成されるように、寸法設定されている、請求項９又は１０記載の保持フレーム。
【発明の詳細な説明】
【技術分野】
【０００１】
本発明は、請求項１の上位概念に記載の保持フレームに関する。
【０００２】
この種の保持フレームは、差込コネクタモジュールの保持に用いられる。この場合、保持フレームには、様々な差込コネクタモジュールが装着され、続いて、保持フレームは、差込コネクタハウジングに挿入され、差込コネクタモジュールに固定される。この場合、保持フレームは、差込結合部を接合するもしくは分離する際に生じる差込み力及び引抜き力に耐え得るように、機械的に安定していなければならない。
【０００３】
この種の保持フレームは、差込コネクタハウジングに挿入する代わりに、所定のハウジング壁又は機器壁にねじ止めすることもできる。そうすると、ハウジング壁又は機器壁を通る導体路の接点接続及び／又は結合が実現可能である。
【０００４】
独国特許第１９７０７１２０号明細書において、差込コネクタモジュールを保持する保持フレームが開示されている。差込コネクタモジュールは、保持フレームに挿入され、その際、差込コネクタモジュールに設けられた保持手段が、保持フレームの対向し合う壁部に設けられた切欠と協働し、差込コネクタモジュールを形状結合（形状結合とは、嵌め合いまたは噛み合いなどの部材相互の形状的関係による結合を意味する）式に保持フレームに保持する。
【０００５】
背景技術において公知の保持フレームの欠点は、保持フレームに完全には装着されない状態で、保持フレームに収容されている差込コネクタモジュールがある程度の遊びを有することである。
【０００６】
この遊びは、差込モジュールが挿入される保持フレームに設けられた切欠に対する、差込コネクタモジュールの保持手段の公差に基づいている。これらの保持手段は、差込コネクタモジュールの全体サイズと比べて比較的小さいので、大きな梃子の作用が保持手段に生じる。
【０００７】
この大きな梃子の作用により、個別に保持フレームに挿入される差込コネクタモジュールががたつき易くなっている。完全に装着された保持フレームの状態でだけ、差込コネクタモジュールは、互いに支持し合い、比較的な遊びのない嵌め込み提供する。
【０００８】
ある程度の遊びは時間が経過するにつれ生じ得る。差込コネクタが頻繁に差し込まれて取り外される場合、大抵はプラスチックから製造される保持手段に摩耗が発生する可能性があり、摩耗の発生は、やはり保持フレーム内でのモジュールの遊びをもたらす。
【０００９】
差込コネクタモジュールにおいて生じるその遊びは、補完的な対応する差込コネクタモジュールを備える第２の保持フレームに接点接続する際に不都合に作用する可能性がある。接点接続及び差込みは、大きな力を掛けてしか、そして差込コネクタモジュールに高い摩擦を掛けてしか可能ではない。
【００１０】
この高められた摩擦力は、差込コネクタモジュール及びその中に保持されたコンタクトのより早期の損耗を招く。最悪の場合、接触接続及び差込みが全く不可能となる。結果として、保持フレーム及び／又は差込コネクタモジュールにおける破損による保持フレームからの差込コネクタモジュールの引きちぎれが生じる。
【００１１】
発明が解決しようとする課題
本発明の課題は、差込コネクタモジュールの遊びのない嵌め込みが可能になるように、保持フレームを構成することである。この場合、公知の態様の差込コネクタモジュールは改変する必要なく用いられるべきである。
【００１２】
この課題は、請求項１の特徴部に記載の構成により解決される。
【００１３】
本発明の別の態様は、従属請求項に記載されている。
【００１４】
本発明は、略矩形に形成されている保持フレームに関する。対向し合う壁部において、保持フレームは、複数の切欠を有する。これらの切欠は、差込コネクタモジュールにある保持手段を収容するために設けられている。保持フレームに複数の差込コネクタモジュールを収容することにより、いわゆるモジュール式の差込コネクタモジュールが形成される。
【００１５】
本発明によれば、保持フレームは、組み合わせ可能な２つの個別の構成要素から、つまりフレームベースとフレームベースに被せ嵌め可能な固定フレームとから成っている。
【００１６】
格別な態様によれば、固定フレームは、２つの個別の構成要素から成っており、これらの構成要素が相俟って固定フレームを形成する。特に、構成要素は、格別な態様によれば、同一に構成されている。これらの構成要素は、雄雌同形の形で組み合わせて、固定フレームを形成することができる。
【００１７】
この態様の好適な構成によれば、固定フレームを形成する構成要素に係止手段が設けられている。係止手段は、構成要素をまとめて保持するために用いられる。高められた力を掛けることによってだけ、固定フレームは、２つの構成要素に分解可能である。これは、とりわけ取付け及び取外しの際に好適である。
【００１８】
保持フレームの壁部に設けられた切欠は、本発明によれば、少なくとも一部で、フレームベースと固定フレームとにより設定される分離平面上に位置する。
【００１９】
この場合、切欠は、完全に、保持フレーム部分の１つに位置し、第２の保持フレーム部分により閉じてよい。但し、切欠の一部分をフレームベースに、切欠の第２の部分を固定フレームに設けることもやはり考えられる。保持フレームにおいて両方の態様を混成する構成も同様に考えられる。
【００２０】
このような、切欠の、片側で開いた態様において、切欠は、差込コネクタモジュールの保持手段よりも小さく寸法設定してよい。そうすれば、フレームベースと固定フレームとを組み合わせる際に、保持フレーム部分の間にスリットが形成される。
【００２１】
切欠は、必ずしも保持フレームの材料厚さ全体を貫通しなくてよい。切欠を、保持フレームの内側から材料部分に部分的にだけ成形することも考えられ、その際、保持フレームの壁部は、完全には貫通されない。
【００２２】
本発明によれば、フレームベース及び固定フレームにおける収容手段により、フレームベースと固定フレームとの組み合わせが可能である。前述されたように、スリットにより、差込コネクタモジュールの保持手段をフレームベースと固定フレームとの間で締着することができる。
【００２３】
そうすると、本発明は、保持フレームにおける差込コネクタモジュールの確実で遊びのない嵌め込みをもたらす。
【００２４】
好適な態様によれば、保持フレームに設けられた切欠は、台形に形成されている。この場合、固定フレームの領域において切欠は、フレームベースの領域における切欠よりも広幅である。これにより、差込コネクタモジュールの保持手段は、追加的に保持フレームにおいて安定化されて、保持される。
【００２５】
本発明の別の態様は、従属請求項に記載されている。
【００２６】
以下に、本発明の実施の態様を図示し、詳説する。
【図面の簡単な説明】
【００２７】
【図１】本発明に係る保持フレームを示す図である。
【図２】本発明によるフレームベースを示す図である。
【図３】本発明による固定フレームを示す図である。
【図４】本発明による２つの部分から成る固定フレームを示す図である。
【図５】ａ〜ｅは、保持フレームに設けられた切欠の様々な態様を示す図である。
【図６】ａ、ｂは、背景技術に対する本発明に係る保持フレームの比較を示す図である。
【００２８】
図１には、本発明に基づく保持フレーム１が示されている。保持フレーム１は、フレームベース２と固定フレーム３とから構成されている。略矩形に形成された保持フレーム１は、対向し合う２つの壁部１０を備える。これらの壁部１０には、本態様では、それぞれ６つの切欠１１が設けられている。
【００２９】
切欠１１は、差込コネクタモジュール４０に設けられている保持手段４１を受容するために用いられる。保持フレーム１に少なくとも１つの差込コネクタモジュール４０を挿入することにより、モジュール式の差込コネクタが形成される。
【００３０】
更に、保持フレーム１は、フランジ１２を備え、フランジ１２により、保持フレームを所定のハウジング又は機器に取り付けることができる。フランジ１２及びハウジング又は機器における保持フレーム１の取付けのより正確な構成については、本発明ではこれ以上言及することはしない。これについては背景技術において公知であり、本発明の要素に含まれない。
【００３１】
図２には、本発明によるフレームベース２が示されている。フレームベース２において、対向し合う２つの壁部２０に、それぞれ相補的な切欠１１が形成されている。切欠１１は、差込コネクタモジュール４０の保持手段４１を受容するのに用いられる。
【００３２】
切欠１１は、本発明によれば、３方でのみ閉じられていて、壁部２０の、固定フレーム３が取り付けられる領域に設けられている。従って、図１から看取されるように、固定フレーム３により、切欠１１は、第４の方向で閉じられる。
【００３３】
フレームベース２と組み合わせ可能な固定フレーム３が、図３に示されている。固定フレーム３は、主にフレームベース２に適合されたベースボディから成っており、この場合、対向し合う２つの壁部３０が、フレームベース２の切欠１１を閉じる。
【００３４】
側方で固定フレーム３に取付け手段３５が設けられている。取付け手段３５は、取付け手段２５（図２参照）と相俟って、フレームベース２と固定フレーム３との相互的な取付け及び位置固定に用いられる。
【００３５】
好適には、取付けは、ねじを用いて行われる。なぜならば、そうするとフレームベース２と固定フレーム３との相互的な間隔を変更できるからである。但し、ここでは別の取付けの可能性も考えられるので、本発明は、ねじ止めに限定されるものではない。
【００３６】
図４には、固定フレーム３の別の好適な態様が示されている。この態様では、固定フレーム３は、２つの部分から、つまり２つのフレーム半部３４から形成されている。
【００３７】
図示の格別な態様では、両フレーム半部３４は、同一に構成されている。つまり、２つのフレーム半部３４の、雄雌同形の嵌め合わせが可能である。これにより、製造すべき部品が低減される。
【００３８】
２つの部分から成る固定フレーム３の利点は、既にケーブルを備える複数の差込コネクタモジュール４０のフレームベース２への挿入後でも、固定フレーム３の取付けが依然として可能であることにある。そうすると、フレーム半部３４は、ケーブルハーネスの周りに設置して、相互に組み合わせて固定フレーム３を形成することができる。
【００３９】
組み合わせるために、フレーム半部３４は、第１の収容手段３２と第２の収容手段３３とをそれぞれ備える。これらの収容手段は、共に、形状結合式に相互に内外に嵌め込み可能である。そうすると、第１の収容手段３２は、本態様では、円錐台形部として構成されていて、円錐台形の凹部として構成された第２の収容手段３３に挿入可能である。収容手段３２，３３は、まとめて、同時にフレームベース２に固定フレーム３を取り付けるための取付け手段３５を形成する。
【００４０】
図５のａ〜ｅには、どのようにして切欠１１を保持フレーム１に形成し、位置決めすることができるのかについて、様々な態様が図示されている。
【００４１】
図５のａでは、切欠１１は、実質的にフレームベース２に形成されている。固定フレーム３は、切欠１１を、図面では上側に示された方向で閉じている。この場合、収容される保持手段４１の寸法に起因して、スリット２／３がフレームベース２と固定フレーム３との間に形成される。
【００４２】
図５のａにおける格別な態様では、更に、切欠１１は、台形に形成されている。この台形の形状は、切欠１１に保持手段４１をより良好に遊びなく嵌め込むのに役立つ。
【００４３】
この場合、切欠１１の別の形状も考えられる。切欠は、大小異なる幅の領域、つまり広幅の領域１１ａと狭幅の領域１１ｂとを有するだけでよい。この場合、広幅の領域１１ａは、保持手段４１の挿入を実現するために、スリット２／３側に位置しなければならない。
【００４４】
図５のｂでは、切欠１１は、図５のａと同様に、フレームベース２に設けられていて、固定フレーム３により閉じられている。図５のａとは異なり、切欠１１は、ここでは直角に構成されている。
【００４５】
これに対して、図５のｃにおける切欠１１は、フレームベース２にも固定フレーム３にも形成されている。これらの切欠２１，３１は、相俟って、保持手段４１を収容するための切欠１１を形成する。
【００４６】
図５のｄでは、切欠１１は、フレームベース２に設けられており、但しこの場合、切欠１１は、保持手段４１よりも大きく寸法設定されている。この大きな寸法設定は、ここでは切欠１１の領域における固定フレーム３に設けられた成形部により補整され、これにより保持手段４１の遊びのない嵌め込みが保証される。
【００４７】
最後に図示された態様において、図５のｅでは、フレームベース２に１つの切欠１１が示されており、この切欠１１には、２つの保持手段４１を収容することができる。この場合、保持手段４１は、固定フレーム３において２つの保持手段４１の間に設けられた成形部により分けられている。
【００４８】
図５のａ〜ｅに示された全ての態様は、相応に、符号２と３との交換も考えられ、適用可能である。
【００４９】
最後に、更に図６のａ及びｂには、従来技術において公知のような慣用の保持フレーム１（ａ）に対する本発明に係る保持フレーム１（ｂ）の比較が示されている。
【００５０】
保持手段４１の必要な公差により切欠１１に所定の遊びが生じることが、図６のａから良好に看取される。これにより、保持フレーム内での差込コネクタモジュール４０の傾倒が生じ得る。
【００５１】
これに対して図６のｂでは、２つの部分から成る保持フレーム１により、保持手段４１の締着が可能である。これにより、保持フレーム１内での差込コネクタモジュール４０の傾倒が阻止される。
【符号の説明】
【００５２】
１  保持フレーム
１０  壁部
１１  切欠
１１ａ  広幅の領域
１１ｂ  狭幅の領域
１２  フランジ
２／３  スリット
２  フレームベース
２０  ２の壁部
２１  ２に設けられた部分−切欠
２５  ２の取付け手段
３  固定フレーム
３０  ３の壁部
３１  ３に設けられた部分−切欠
３２  第１の収容手段
３３  第２の収容手段
３４  フレーム半部
３５  ３の取付け手段
４０  差込コネクタモジュール
４１  保持手段
【図１】
0005989256.tif 000002
【図２】
0005989256.tif 000003
【図３】
0005989256.tif 000004
【図４】
0005989256.tif 000005
【図５ａ】
0005989256.tif 000006
【図５ｂ】
0005989256.tif 000007
【図５ｃ】
0005989256.tif 000008
【図５ｄ】
0005989256.tif 000009
【図５ｅ】
0005989256.tif 000010
【図６ａ】
0005989256.tif 000011
【図６ｂ】
0005989256.tif 000012